(57)【特許請求の範囲】
【請求項１】
自動車の車体開口部開閉部材と自動車の車体開口部周縁との間をシールするウエザストリップにおいて、
該ウエザストリップは、上記車体開口部開閉部材又は自動車の上記車体開口部周縁のいずれか一方の部材に取付けられる取付基部と、該取付基部に一体に形成され他方の部材に当接してシールする中空シール部を有し、
該中空シール部は、上記他方の部材に当接する中空シール壁と、該中空シール壁を車外側で保持する車外側側壁と、上記中空シール壁を車内側で保持する車内側側壁を有し、
上記取付基部は、上記中空シール部が延設され、上記中空シール部とともに中空形状を形成する取付基部上層部と、該取付基部上層部と一体的に形成され、上記車体開口部開閉部材又は自動車の上記車体開口部周縁と対向する側に取付基部下層部を有し、該取付基部下層部に上記車体開口部開閉部材又は自動車の上記車体開口部周縁と上記取付基部との間をシールするシール部材が設けられ、
上記取付基部上層部と上記車外側側壁の少なくとも一部は、他の部分よりも剛性が高く形成されるとともに、上記取付基部上層部と上記車外側側壁の剛性が高く形成された部分は連続して形成され、
上記取付基部上層部の車内側の先端から上記取付基部上層部の延長方向に一体的に形成される中空シール保持壁を設け、該中空シール保持壁の先端から上記中空シール保持壁と略直角方向に一体的に上記中空シール車内側側壁を形成し、上記中空シール保持壁と上記中空シール車内側側壁を他の部分よりも剛性が高くしたことを特徴とする自動車用ウエザストリップ。
【請求項２】
上記中空シール壁の中央部分は、中央部分以外の部分よりも厚肉に形成された請求項１に記載の自動車用ウエザストリップ。
【請求項３】
上記中空シール壁と上記車外側側壁の連続部分及び、上記中空シール壁の上記車内側側壁への接続部近傍は、屈曲部又は凹部が形成された請求項１又は請求項２に記載の自動車用ウエザストリップ。
【請求項４】
上記取付基部上層部と上記車外側側壁の剛性が高く形成された部分は断面形状がL字形に形成された請求項１乃至請求項３のいずれか１項に記載の自動車用ウエザストリップ。
【請求項５】
上記取付基部上層部と上記車外側側壁の剛性が高く形成された部分は、スポンジ材で他の部分よりも厚肉形成されるか、又はソリッド材で形成された請求項１乃至請求項４のいずれか１項に記載の自動車用ウエザストリップ。
【請求項６】
上記シール部材は、シール突条又は両面接着テープである請求項１乃至請求項５のいずれか１項に記載の自動車用ウエザストリップ。
【請求項７】
上記シール突条は、スポンジ部材で形成された請求項６に記載の自動車用ウエザストリップ。
【発明の詳細な説明】
【技術分野】
【０００１】
本発明は、自動車ドア等の車体開口部を開閉する車体開口部開閉部材と車体開口部周縁との間をシールする自動車用ウエザストリップに関するものである。
【背景技術】
【０００２】
以下、本発明について、図３に示すように、ドアフレーム２の外周に取付けられて、自動車のドアと車体開口部周縁６との間をシールするドアウエザストリップ１０を例に取り説明する。
自動車ドアと車体開口部周縁６との間のシールは、図４に示すように、ドアフレーム２等の外周に取付けられるドアウエザストリップ１１０及び／または、車体開口部周縁６のフランジ７に取付けられるオープニングトリムウエザストリップ１７０によりなされる。なお、ドアガラス５とドアとの間のシールは、ドアフレーム２の内周のチャンネル３に取付けられるガラスラン１６０によってなされる。
【０００３】
ガラスラン１６０は、チャンネル３に取付けられ、車外側側壁１６１、底壁１６３と車内側側壁１６２からなる断面略Ｕ字形の内部にドアガラス５の端部を収納し、車外側側壁１６１と車内側側壁１６２の先端から延設した車外側シールリップ１６４と車内側シールリップ１６５をドアガラス５の車外側面・車内側面に当接させてシールしている。
車体開口部周縁６のフランジ７に取付けられたオープニングトリムウエザストリップ１７０は、断面略Ｕ字形のトリム部１７１によりフランジ７に取付けられ、中空シール部１７２をドアフレーム２のドア膨出部２ａの車内側面に当接させてシールしている。
【０００４】
ドアのドアフレーム２とドアパネル１の外周に取付けられたドアウエザストリップ１１０は、取付基部１２１とその上部に一体に形成された中空シール部１２２から構成される。取付基部１２１は、ドアフレーム２の外周に取付けられたリテーナー４に嵌め込まれてドアフレーム２に固定される。
【０００５】
そのとき、中空シール部１２２は、車体開口部周縁６の車内側の膨出部分に当接して、ドアフレーム２と車体開口部周縁６との間をシールしている。そして、中空シール部１２２の変形により、中空シール部１２２に設けられた背面シール１２７に圧力がかかり、背面シール１２７がドアフレーム２に当接して、ドアフレーム２とドアウエザストリップ１１０の間をシールしている。
【０００６】
しかしながら、自動車ドアの形状が変化して、中空シール部１２２が車体開口部周縁６と当接する位置や向きが変わると、中空シール部１２２の変形が変わって、中空シール部１２２の変形時の圧力が充分に背面シール１２７へ伝わりにくく、シール性が低下する場合があった。
【０００７】
そこで、例えば、図５に示すように、ドアウエザストリップ２１０は、取付基部２２０がクリップ２２１によりドアフレーム２に取付けられて、ドア閉時には中空シール部２３０が車体開口部周縁６に当接して、車体開口部周縁６とドアウエザストリップ２１０の間をシールしているものがある（例えば、特許文献１参照。）。
【０００８】
そのとき、ドアフレーム２とドアウエザストリップ２１０との間は、背面シール２２７によりシールされる。この場合には、背面シール２２７の剛性を取付基部２２０よりも低くしてシール性を向上させているが、背面シール２２７のシール圧自体は大きくならず、充分なシール性を得ることができない場合がある。
【０００９】
また、図６に示すように、第１ベース部３１１、第２ベース部３１２と第３ベース部３１３を階段状に形成して、第２ベース部３１２と第３ベース部３１３の先端に、それぞれシールビード３１４、３１５を形成するものがある（例えば、特許文献２参照。）。
この場合は、中空シール部３３０の変形のよる押圧力を分散して、第２ベース部３１２と第３ベース部３１３の先端からそれぞれシールビード３１４、３１５を押付けるものであり、ドアの形状により、第３ベース部３１３を設けることができない場合には、シール性は充分でない場合があった。
【先行技術文献】
【特許文献】
【００１０】
【特許文献１】特開２０１２−１０１７４４号
【特許文献２】特開２００７−２３０２７２号
【発明の概要】
【発明が解決しようとする課題】
【００１１】
このため、本発明は、自動車の車体開口部開閉部材と自動車の車体開口部周縁との間のシール性の優れた自動車用ウエザストリップを提供することを目的とするものである。
【課題を解決するための手段】
【００１２】
上記課題を解決するために請求項１の本発明は、自動車の車体開口部開閉部材と自動車の車体開口部周縁との間をシールするウエザストリップにおいて、
ウエザストリップは、車体開口部開閉部材又は自動車の車体開口部周縁のいずれか一方の部材に取付けられる取付基部と、取付基部に一体に形成され他方の部材に当接してシールする中空シール部を有し、
中空シール部は、他方の部材に当接する中空シール壁と、中空シール壁を車外側で保持する車外側側壁と、中空シール壁を車内側で保持する車内側側壁を有し、
取付基部は、中空シール部が延設され、中空シール部とともに中空形状を形成する取付基部上層部と、取付基部上層部と一体的に形成され、車体開口部開閉部材又は自動車の車体開口部周縁と対向する側に取付基部下層部を有し、取付基部下層部に車体開口部開閉部材又は自動車の車体開口部周縁と取付基部との間をシールするシール部材が設けられ、
シール部材が設けられ、
取付基部上層部と車外側側壁の少なくとも一部は、他の部分よりも剛性が高く形成されるとともに、取付基部上層部と車外側側壁の剛性が高く形成された部分は連続して形成され、
取付基部上層部の車内側の先端から取付基部上層部の延長方向に一体的に形成される中空シール保持壁を設け、中空シール保持壁の先端から中空シール保持壁と略直角方向に一体的に中空シール車内側側壁を形成し、中空シール保持壁と中空シール車内側側壁を他の部分よりも剛性が高くしたことを特徴とする自動車用ウエザストリップである。
【００１３】
請求項１の本発明では、ウエザストリップは、車体開口部開閉部材又は自動車の車体開口部周縁のいずれか一方の部材に取付けられる取付基部と、取付基部に一体に形成され他方の部材に当接してシールする中空シール部を有する。このため、車体開口部開閉部材の周囲又は車体開口部周縁に取付基部を取付けると、車体開口部開閉部材の閉時に中空シール部が車体開口部周縁又は車体開口部開閉部材に当接して、車体開口部開閉部材と車体開口部周縁との間をシールすることができる。
【００１４】
中空シール部は、他方の部材に当接する中空シール壁と、中空シール壁を車外側で保持する車外側側壁と、中空シール壁を車内側で保持する車内側側壁を有する。このため、ドア閉時に中空シール壁が車体開口部周縁又は車体開口部開閉部材の突出部の形状に沿って柔軟に撓んで、当接して、車体開口部開閉部材と車体開口部周縁との間をシールすることができる。また、車外側側壁と車内側側壁で中空シール壁を保持して、中空形状を保持して、中空シール壁の撓みを確保することができる。
【００１５】
取付基部は、中空シール部が延設され、中空シール部とともに中空形状を形成する取付基部上層部と、取付基部上層部と一体的に形成され、車体開口部開閉部材又は自動車の車体開口部周縁と対向する側に取付基部下層部を有し、取付基部下層部に車体開口部開閉部材又は自動車の車体開口部周縁と取付基部との間をシールするシール部材が設けられる。このため、ドア閉時に中空シール壁が撓んで取付基部上層部を押圧して、取付基部上層部がシール部材を車体開口部開閉部材又は車体開口部周縁に押圧して、シール部材が車体開口部開閉部材又は車体開口部周縁との間をシールすることができる。
【００１６】
取付基部上層部と車外側側壁の少なくとも一部は、他の部分よりも剛性が高く形成されるとともに、取付基部と車外側側壁の剛性が高く形成された部分は連続して形成されている。このため、ドア閉時に中空シール部が車体開口部周縁又は車体開口部開閉部材に当接して、押圧力を取付基部上層部と車外側側壁の剛性が高く形成された部分に伝達し、取付基部下層部のシール部材を車体開口部開閉部材又は車体開口部周縁に確実に押圧して、シール部材が車体開口部開閉部材又は車体開口部周縁との間をシールすることができる。
取付基部上層部の車内側の先端から取付基部上層部の延長方向に一体的に形成される中空シール保持壁を設け、中空シール保持壁の先端から中空シール保持壁と略直角方向に一体的に中空シール車内側側壁を形成し、中空シール保持壁と中空シール車内側側壁を他の部分よりも剛性が高くしている。このため、中空シール保持壁は、剛性が高く、中空シール車内側側壁と中空シール壁を保持することができる。中空シール車内側側壁も、中空シール保持壁と同様に他の部分よりも剛性が高くしているため、中空シール車内側側壁までを他の部分よりも剛性が高くすることにより、車体開口部周縁による中空シール壁の変形領域を小さくして、中空シール部の車外方向への押出方向の変化量を抑制することで、押圧力を効率よく中空シール車外側側壁下部に伝えることができる。
【００１７】
請求項２の本発明は、中空シール壁の中央部分は、中央部分以外の部分よりも厚肉に形成された自動車用ウエザストリップである。
【００１８】
請求項２の本発明では、中空シール壁の中央部分は、中央部分以外の部分よりも厚肉に形成されたため、ドア閉時に中空シール壁が車体開口部開閉部材又は車体開口部周縁に当接するときに、当接する部分の中空シール壁の剛性を高くして、取付基部上層部車外側側壁の剛性が高く形成された部分に伝達される押圧力を大きくし、取付基部下層部のシール部材を車体開口部開閉部材又は車体開口部周縁に確実に押圧して、シール部材が車体開口部開閉部材又は車体開口部周縁との間をシールすることができる。
【００１９】
請求項３の本発明は、中空シール壁と車外側側壁の連続部分及び、中空シール壁の車内側側壁への接続部近傍は、取付基部上層部から延設された中空シール保持壁と車内側側壁との連続部分は屈曲部又は凹部が形成された自動車用ウエザストリップである。
【００２０】
請求項３の本発明では、中空シール壁と車外側側壁の連続部分及び、中空シール壁の車内側側壁への接続部近傍は、屈曲部又は凹部が形成されている。このため、ドア閉時に中空シール壁が車体開口部開閉部材又は車体開口部周縁に当接するときに、中空シール壁と車外側側壁の連続部分及び、中空シール壁の車内側側壁への接続部近傍は、屈曲部又は凹部が形成されている部分が容易に撓むことができる。従って、中空シール壁や連続部分に歪がたまることが無く、撓みに伴う亀裂等が生じることが無く、中空シール壁の押圧力を確実に、取付基部と車外側側壁の剛性が高く形成された部分に伝達することができる。
【００２１】
請求項４の本発明は、取付基部上層部と車外側側壁の剛性が高く形成され部分は断面形状がL字形に形成された自動車用ウエザストリップである。
【００２２】
請求項４の本発明では、取付基部上層部と車外側側壁の剛性が高く形成され部分は断面形状がL字形に形成されている。このため、ドア閉時の中空シール壁の押圧力をL字形に形成された取付基部上層部と車外側側壁の剛性が高く形成され部分に確実に伝達し、取付基部上層部が取付基部下層部のシール部材を車体開口部開閉部材又は車体開口部周縁に確実に押圧して、シール部材が車体開口部開閉部材又は車体開口部周縁との間をシールすることができる。
【００２３】
請求項５の本発明は、取付基部上層部と車外側側壁の剛性が高く形成され部分は、スポンジ材で他の部分よりも厚肉形成されるか、又はソリッド材で形成された自動車用ウエザストリップである。
【００２４】
請求項５の本発明では、取付基部上層部と車外側側壁の剛性が高く形成された部分は、スポンジ材で他の部分よりも厚肉形成されるか、又はソリッド材で形成されている。このため、スポンジ材で他の部分よりも厚肉形成された場合は、他の部分と同一の材料で形成することができ、製造が容易である。ソリッド材で形成された場合は、寸法を大きくすること無く、剛性を高く形成することができる。
【００２５】
請求項６の本発明は、シール部材は、シール突条又は両面接着テープである自動車用ウエザストリップである。
【００２６】
請求項６の本発明では、シール部材は、シール突条又は両面接着テープであるため、シール部材がシール突条である場合は、シール突条が車体開口部開閉部材又は車体開口部周縁に押圧されて、柔軟に撓んで、シール突条が車体開口部開閉部材又は車体開口部周縁との間をシールすることができる。シール部材が両面接着テープの場合は、両面接着テープが車体開口部開閉部材又は車体開口部周縁に接着されて、両面接着テープが確実に取付基部下層部と車体開口部開閉部材又は車体開口部周縁との間をシールすることができる。
なお、シール突条と両面接着テープを併用することもできる。
【００２７】
請求項７の本発明は、シール突条は、スポンジ部材で形成された自動車用ウエザストリップである。
【００２８】
請求項７の本発明では、シール突条は、スポンジ部材で形成されたため車体開口部開閉部材又は車体開口部周縁の形状に応じて、シール突条が柔軟に撓んで押圧されて、シール突条が車体開口部開閉部材又は車体開口部周縁との間をシールすることができる。
【発明の効果】
【００２９】
取付基部下層部取付基部の車体開口部開閉部材又は車体開口部周縁に当接する面にシール部材が形成されているため、シール部材が取付基部下層部と車体開口部開閉部材又は車体開口部周縁との間をシールすることができる。
取付基部上層部と車外側側壁の少なくとも一部は、他の部分よりも剛性が高く形成されるとともに、取付基部上層部と車外側側壁の剛性が高く形成された部分は連続して形成されたため、押圧力を取付基部上層部と車外側側壁の剛性が高く形成された部分に伝達し、取付基部下層部のシール部材を車体開口部開閉部材又は車体開口部周縁に確実に押圧して、シールすることができる。
【図面の簡単な説明】
【００３０】
【図１】本発明の実施の形態であるドアウエザストリップの断面図であり、図２におけるA−A線に沿った断面図である。
【図２】本発明のドアウエザストリップの全体の正面図である。
【図３】自動車の側面図である。
【図４】従来のドアウエザストリップを自動車のドアフレームに取付けた状態における、ドアフレームの断面図である。
【図５】従来の他のドアウエザストリップを自動車のドアフレームに取付けた状態における、ドアフレームの断面図である。
【図６】従来の他のドアウエザストリップを自動車のドアフレームに取付けた状態における、ドアフレームの断面図である。
【発明を実施するための形態】
【００３１】
本発明の実施の形態を、ウエザストリップとして、ドアフレーム２の外周に取付けられて、車体開口部開閉部材としてドアと、車体開口部周縁６との間をシールするドアウエザストリップ１０を例にとり説明する。
本発明は、ドアウエザストリップ１０以外にも、オープニングトリムウエザストリップ、スライディングルーフウエザストリップ、ラッゲージウエザストリップ、バックドアウエザストリップ等の自動車の車体開口部と、その開口部を閉じる開閉部材に使用される中空シール部と、取付基部を有するウエザストリップにも使用することができる。
ウエザストリップ１０は、車体開口部周縁６又は車体開口部開閉部材のいずれの側にも取り付けることができる。
【００３２】
以下、本発明の実施の形態を図１〜図３に基づき説明する。
図３は、本発明のドアウエザストリップ１０が装着される自動車の側面図である。ドアウエザストリップ１０は、自動車のドアパネル１とドアフレーム２からなるドアの外周に装着される。ドアフレーム２の内周には、チャンネル３が設けられて、ガラスラン（図示せず）が取付けられて、ドアガラス５の昇降を案内している。
【００３３】
図２は、ドアパネル１とドアフレーム２に装着されるドアウエザストリップ１０の正面図である。
本発明の実施の形態であるドアウエザストリップ１０は、押出成形で形成される直線状のドアウエザストリップ１０の直線部１１をドアフレーム２に沿って取付ける。直線状のドアウエザストリップ１０の直線部１１は、後述するコーナー部１２と接続部１３で接続されて環状に形成される。コーナー部１２と接続部１３での接続は、金型での接続又は接着剤での接続のいずれでも使用することができる。
【００３４】
本実施の形態では、ドアウエザストリップ１０は、ドアフレーム２のコーナー部においては、ドアフレーム２のコーナー部の形状に合わせて、型成形で成形されるコーナー部１２が形成され、コーナー部１２は、直線部１１を型成形時に接続している。同様に型成形で成形される接続部１３も直線部１１を型成形時に接続している。
【００３５】
直線部１１のドアウエザストリップ１０の形状は、図１に示すように、取付基部２０と中空シール部３０から形成されている。まず、ドアウエザストリップ１０の形状について説明し、ドア閉時の作用については後述する。
本実施の形態では、ドアウエザストリップ１０の取付基部２０は、板状に形成されているが、ドアフレーム２の取付部分やドアフレーム２に形成されたリテーナー（図示せず）の形状に応じて形成されることができる。
【００３６】
本実施の形態では、取付基部２０は２層に形成され、中空シール部３０側の上層は、取付基部上層部２３を形成し、ドアフレーム２側の下層は、取付基部下層部２４を形成している。取付基部上層部２３は、ソリッド材で形成され、取付基部下層部２４はスポンジ材で形成されている。なお、取付基部上層部２３は、スポンジ材で形成することもできるが、他の部分よりも剛性を高くするために、厚肉に形成する。
【００３７】
取付基部２０の車外側の先端は、ドアフレーム２と当接するように、シール部材である第１シール突条２１が形成されている。第１シール突条２１は、取付基部下層部２４から連続してスポンジ材で形成されている。スポンジ材で形成されているため、第１シール突条２１は、ドアフレーム２の形状に沿って、柔軟に撓み密着することができ、シール性を向上させることができる。
取付基部２０の車外側の先端の車外側方向には取付基部張出部２５が取付基部下層部２４から連続してスポンジ材で形成されている。取付基部張出部２５は、他の部材の端末部分を覆うことができる。
【００３８】
取付基部２０の車内側の先端は、ドアフレーム２と当接するように、第２シール突条２２が形成されている。第２シール突条２２は、取付基部上層部２３から連続してソリッド材で形成されている。このため、取付基部２０全体を安定して取り付けることができる。
【００３９】
第１シール突条２１と第２シール突条２２の間には、取付基部下層部２４に両面接着テープ２６が取付けられている。両面接着テープ２６により取付基部２０はドアフレーム２に取付けられる。両面接着テープ２６の代わりに、クリップで取付基部２０をドアフレーム２に取付けることもできる。両面接着テープ２６は取付基部２０とドアフレーム２の間のシール性を向上させることができる。
【００４０】
次に、中空シール部３０の形状について説明する。
中空シール部３０は、取付基部上層部２３の車外側の先端から取付基部上層部２３と略直角方向に一体的に形成される中空シール車外側側壁３２と、取付基部上層部２３の車内側の先端から取付基部上層部２３の延長方向に一体的に形成される中空シール保持壁３４と、中空シール保持壁３４の先端から中空シール保持壁３４と略直角方向に一体的に形成される中空シール車内側側壁３３と、中空シール車外側側壁３２の先端及び中空シール車内側側壁３３の先端とを連結し、円弧状に形成される中空シール壁３１から中空状に形成される。
【００４１】
本実施の形態では、中空シール車外側側壁３２は、中空シール壁３１と連続する側がスポンジ材で形成された中空シール車外側側壁上部３２ａを形成し、取付基部上層部２３と連続する側が中空シール車外側側壁下部３２ｂを形成する。中空シール車外側側壁上部３２ａは、中空シール壁３１と一体的にスポンジ材で形成し、中空シール車外側側壁下部３２ｂは取付基部上層部２３と一体的にソリッド材で形成されている。
【００４２】
ドア閉時において、車体開口部周縁６に対してドアの進入方向は、図１に示すような方向となり、車体開口部周縁６は中空シール壁３１を車外方向に押圧し、車外側側壁３２を取付基部２０との連結部分を中心に回転させ、車外方法に押出すように変形させる力を与える。
【００４３】
中空シール車外側側壁下部３２ｂと取付基部上層部２３は、剛性の高いソリッド材で断面Ｌ字形に形成されている。このため、ドア閉時に、車体開口部周縁６が中空シール壁３１を押圧したときに、中空シール壁３１の車外側端は車外側側壁３２の中空シール壁側端を車外側方向に押圧するが、スポンジ部よりも剛性の高い中空シール車外側側壁下部３２ｂは、取付基部上層部２３との連結部を中心とした回動方向に変形して、取付基部下層部２４の第１シール突条２１をドアフレーム２に確実に押圧して、第１シール突条２１がドアフレーム２との間をシールすることができる。
【００４４】
なお、中空シール車外側側壁下部３２ｂをソリッド材で形成したが、スポンジ材で形成することができる。この場合には、中空シール車外側側壁下部３２ｂを他の部分よりも厚肉に形成して、他の部分よりも剛性を高くする。
また、中空シール車外側側壁上部３２ａをスポンジ材で形成したが、ソリッド材で形成することもできる。
【００４５】
中空シール保持壁３４は、取付基部上層部２３から車内方向に横に延設され、取付基部上層部２３と同様にソリッド材で形成する。このため、剛性が高く、中空シール車内側側壁３３と中空シール壁３１を保持することができる。中空シール車内側側壁３３も、中空シール保持壁３４と同様にソリッド材で形成されている。このように、中空シール車内側側壁３３までを高剛性の材料で構成することにより、車体開口部周縁６による中空シール壁３１の変形領域を小さくして、中空シール部３０の車外方向への押出方向の変化量を抑制することで、押圧力を効率よく中空シール車外側側壁下部３２ｂに伝えることができる。
【００４６】
なお、取付基部上層部２３がスポンジ材で形成された場合には、中空シール保持壁３４や中空シール車内側側壁３３もスポンジ材で形成することができるが、この場合には、中空シール保持壁３４や中空シール車内側側壁３３を他の部分よりも厚肉に形成して、他の部分よりも剛性を高くする。
【００４７】
中空シール壁３１の中空シール車内側側壁３３への接続部近傍に中空シール第２屈曲部３６を形成している。
ドア閉時に中空シール壁３１が車体開口部周縁６に当接するときに、中空シール車内側側壁３３と中空シール壁３１の車内側端の連続部分の近傍に位置する中空シール第２屈曲部３６が容易に撓むことができ、中空シール壁３１と中空シール車内側側壁３３の連続部分に歪がたまることが無く、撓みに伴う亀裂等が生じることが無い。
【００４８】
中空シール壁３１は、断面形状が円弧状に形成され、中空シール壁３１の中央部分は、中央部分以外の部分よりも厚肉に形成されている。このため、ドア閉時に中空シール壁３１が車体開口部周縁６の突出した部分に当接するときに、中空シール壁３１の剛性を高くして、車体開口部周縁６から受ける押圧力をより確実に車外側側壁３２に伝えることができる。
【００４９】
中空シール壁３１の中央部分が厚肉に形成されているため、中空シール車外側側壁３２と取付基部上層部２３に伝達される押圧力を大きくし、シール部材である取付基部下層部２４の第１シール突条２１をドアフレーム２に確実に押圧して、第１シール突条２１がドアウエザストリップ１０とドアフレーム２との間をシールすることができる。
【００５０】
第１シール突条２１は中空シール車外側側壁下部３２ｂの直下から取付基部上層部２３の車外側側端に隣接する位置の範囲に形成することが好ましい。中空シール車外側側壁下部３２ｂから車外側には、中空シール車外側側壁下部３２ｂの回動による押圧力がさらに付与されるからである。
【００５１】
中空シール壁３１と中空シール車外側側壁上部３２ａの連結部分には、屈曲して形成され、中空シール第１屈曲部３５を形成する。中空シール壁３１が押圧されたときに、中空シール第１屈曲部３５が屈曲することができる。中空シール第１屈曲部３５には、屈曲しやすいように凹部を形成することもできる。
【００５２】
ドア閉時に中空シール壁３１が車体開口部周縁６に当接するときに、中空シール壁３１と中空シール車外側側壁上部３２ａの連続部分である中空シール第１屈曲部３５及び中空シール壁３１の中空シール車内側側壁３３への接続部近傍に形成された中空シール第２屈曲部３６が容易に撓むことができ、中空シール壁３１と中空シール第１屈曲部３５及び中空シール第２屈曲部３６に歪がたまることが無く、中空シール第１屈曲部３５に撓みに伴う亀裂等が生じることが無く、中空シール壁３１の押圧力を確実に、中空シール車外側側壁下部３２ｂと取付基部上層部２３に伝達することができる。
【００５３】
次に、図１に基づき、ドア閉時の作用について説明する。
ドア閉時に車体開口部周縁６の突出部に中空シール部３０の中空シール壁３１が当接すると図１の二点鎖線で記載した様に車体開口部周縁６の突出部の形状に沿って中空シール壁３１が撓む。
【００５４】
この時、中空シール壁３１の中央付近の車体開口部周縁６の突出部と当接する部分は、厚肉に形成されており、剛性が高いため、中空シール壁３１の撓むことによる押圧力を中空シール車外側側壁下部３２ｂと取付基部上層部２３に伝達することができる。中空シール車外側側壁下部３２ｂと取付基部上層部２３はソリッド材等により剛性が高く形成されているため、確実に押圧力を伝達することができる。
【００５５】
中空シール車外側側壁下部３２ｂと取付基部上層部２３に伝達された押圧力は、取付基部上層部２３から取付基部下層部２４に伝達され、第１シール突条２１を強くドアフレーム２に押圧する。このため、第１シール突条２１が第１シール突条２１とドアフレーム２との間を確実にシールすることができる。
【００５６】
本発明において、成形材料は、合成ゴム、熱可塑性エラストマー、軟質合成樹脂が使用され、例えば合成ゴムでは、ＥＰＤＭゴム、熱可塑性エラストマーでは、ポリオレフィン系熱可塑性エラストマーを使用することができる。スポンジ材は、ＥＰＤＭ又は熱可塑性エラストマーのスポンジ材を使用することができ、ソリッド材は、ソリッドゴム、熱可塑性エラストマーを使用することができる。この場合は、ソリッド材をスポンジ材と同種類とすれば、スポンジ材で形成された部分とソリッド材で形成された部分を押出成形時に融着して、一体的に形成することができる。
【符号の説明】
【００５７】
１０  ドアウエザストリップ
２０  取付基部
２１  第１シール突条（シール部材）
２３  取付基部上層部
２４  取付基部下層部
３０  中空シール部
３１  中空シール壁
３２  中空シール車外側側壁
３５  中空シール第１屈曲部
【図１】
0006536901.tif 000002
【図２】
0006536901.tif 000003
【図３】
0006536901.tif 000004
【図４】
0006536901.tif 000005
【図５】
0006536901.tif 000006
【図６】
0006536901.tif 000007